(57)【要約】【課題】時間と手間をかけずに確実にイノシシを誘引できるイノシシ亜目用誘引剤及びイノシシ亜目用誘引タブレットを提供すること。【解決手段】チョウジ及び／またはその抽出物を有効成分として含有し、上面から下側及び下面から上面に凹んだ凹部を有するイノシシ亜目用誘引タブレットを、イノシシを捕獲するための檻等の中等に配置することでイノシシをメンテナンスと時間の手間を大幅に軽減させて捕獲することができる。【選択図】図３
2010220564.tif 000002
【特許請求の範囲】
【請求項１】
チョウジ及び／またはその抽出物を有効成分として含有するイノシシ亜目用誘引剤。
【請求項２】
粒剤である請求項１に記載のイノシシ亜目用誘引剤。
【請求項３】
イノシシ亜目は、イノシシである請求項１または２に記載のイノシシ亜目用誘引剤。
【請求項４】
請求項１から３のいずれかに記載のイノシシ亜目用誘引剤を含有し、上面から下側及び下面から上側に凹んだ凹部を有するイノシシ亜目用誘引タブレット。
【請求項５】
前記イノシシ亜目用誘引剤の含有量は０．２５ｇ／ｃｍ３以上である請求項４記載のイノシシ亜目用誘引タブレット。
【請求項６】
前記上面から下側に凹んだ凹部の外周縁部から該イノシシ亜目用誘引タブレットの外周縁部に向かって傾斜する傾斜面が形成されている請求項４または５に記載のイノシシ亜目用誘引タブレット。
【請求項７】
前記下面から上側に凹んだ凹部の外周縁部から該イノシシ亜目用誘引タブレットの外周縁部に向かって傾斜する傾斜面が形成されている請求項４から６のいずれかに記載のイノシシ亜目用誘引タブレット。
【請求項８】
水分と接触すると徐々に崩壊する請求項４から７のいずれかに記載のイノシシ亜目用誘引タブレット。
【発明の詳細な説明】
【技術分野】
【０００１】
本発明は、イノシシ亜目を誘引するイノシシ亜目用誘引剤及びイノシシ亜目用誘引タブレットに関する。
【背景技術】
【０００２】
近年、森林伐採や土地開発等により、イノシシをはじめ様々な動物の居住領域が狭められている。特に秋や冬になるとイノシシの居住領域内の餌が不足し、イノシシは、餌を求めて農地に出没して農作物を荒らす。また、少子高齢化に伴い、イノシシの天敵である人間が山で活動する機会が減少したことによりイノシシの行動範囲が広がり、餌を求めて農地に出没して農作物を荒らす。このように、農作物の被害が極めて深刻な問題となっている。
【０００３】
このような問題を解決するために、網、柵やトタン等で農地全体を囲む方法が取られてきた。この方法は、小規模の農地や少数の樹木等が保護の対象であればそれほど問題にならないが、現実には、広大な農地や極めて多数本の樹木を保護の対象にしなければならない。その場合、持ち運ぶ際の重量が大きくなり少しずつしか持ち運べず、作業効率が極めて悪いという問題があった。また、この方法は費用や手問がかかり、風雪やイノシシにより倒されたりして被害を抑制するには至らなかった。
【０００４】
また、捕獲するための檻の中に餌を入れておき、イノシシを檻の中へ誘引して捕獲する方法も採られており、例えば、特許文献１のように、イノシシを誘引しやすくするように檻の中の餌の臭いを送風する方法も採られている。
【先行技術文献】
【特許文献】
【０００５】
【特許文献１】特開２００２−２１８８９６号公報
【発明の概要】
【発明が解決しようとする課題】
【０００６】
この方法は、農作物を荒らすイノシシを確実に捕獲するので農作物の被害を最小限に抑えることができるが、餌は生ものなので腐りやすい。このため、定期的に餌を交換する必要があり、メンテナンスに時間と手間がかかるという問題があった。
【０００７】
本発明は、上述した問題を解決するためになされたものであり、時間と手間をかけずに確実にイノシシを誘引できるイノシシ亜目用誘引剤及びイノシシ亜目用誘引タブレットを提供することを目的とする。
【課題を解決するための手段】
【０００８】
発明者らは、上記課題を解決すべく鋭意研究を重ねた結果、イノシシ亜目に属する動物は、従来から知られているミミズよりもチョウジを非常に好むという知見を見出し、本発明をするに至った。より具体的には、本発明は以下のようなものを提供する。
【０００９】
請求項１に記載の発明は、チョウジ及び／またはその抽出物を有効成分として含有するイノシシ亜目用誘引剤である。
【００１０】
請求項２に記載の発明は、粒剤である請求項１に記載のイノシシ亜目用誘引剤である。
【００１１】
請求項３に記載の発明は、イノシシ亜目は、イノシシである請求項１または２に記載のイノシシ亜目用誘引剤である。
【００１２】
請求項４に記載の発明は、請求項１から３のいずれかに記載のイノシシ亜目用誘引剤を含有し、上面から下側及び下面から上側に凹んだ凹部を有するイノシシ亜目用誘引タブレットである。
【００１３】
請求項５に記載の発明は、前記イノシシ亜目用誘引剤の含有量は０．２５ｇ／ｃｍ３以上である請求項４記載のイノシシ亜目用誘引タブレットである。
【００１４】
請求項６に記載の発明は、前記上面から下側に凹んだ凹部の外周縁部から該イノシシ亜目用誘引タブレットの外周縁部に向かって傾斜する傾斜面が形成されている請求項４または５に記載のイノシシ亜目用誘引タブレットである。
【００１５】
請求項７に記載の発明は、前記下面から上側に凹んだ凹部の外周縁部から該イノシシ亜目用誘引タブレットの外周縁部に向かって傾斜する傾斜面が形成されている請求項４から６のいずれかに記載のイノシシ亜目用誘引タブレットである。
【００１６】
請求項８に記載の発明は、水分と接触すると徐々に崩壊する請求項４から７のいずれかに記載のイノシシ亜目用誘引タブレットである。
【発明の効果】
【００１７】
本発明のイノシシ亜目用誘引剤及びイノシシ亜目用誘引タブレットによれば、時間と手間をかけずに確実にイノシシを誘引できる。
【図面の簡単な説明】
【００１８】
【図１】イノシシ亜目用誘引タブレットの平面図である。
【図２】イノシシ亜目用誘引タブレットの断面図である。
【図３】イノシシ亜目用忌避誘引タブレットの斜視図である。
【図４】イノシシ亜目用忌避誘引タブレットの崩壊する様子の概略を示す図である。
【図５】イノシシ亜目用誘引タブレットの使用方法の一例を示した図である。
【発明を実施するための形態】
【００１９】
本発明は、イノシシを確実に誘引させるという課題を、イノシシを誘引させる新規なイノシシ亜目用誘引剤を用いてイノシシ亜目用誘引タブレットとしたことによって解決した。
【００２０】
本明細書において、イノシシ亜目とは、イノシシ亜目に属する動物全般を指しており、具体的には、イノシシ、ベッカリー等の動物をいう。
【００２１】
以下、図面等を参照しながら本発明の実施形態について説明する。図１は、本発明のイノシシ亜目用誘引タブレットの平面図、図２は、図１に示す本発明のイノシシ亜目用誘引タブレットの断面図、図３は、本発明のイノシシ亜目用誘引タブレットの斜視図、図４（Ａ）から（Ｄ）は、本発明のイノシシ亜目用誘引タブレットの崩壊する様子の概略を示す図、図５は、本発明のイノシシ亜目用誘引タブレットの使用方法の一例を示した図である。１はイノシシ亜目用誘引タブレット、２Ａは上面から下側に凹んだ凹部、２Ｂは下面から上側に凹んだ凹部、３は上面から下側に凹んだ凹部または下面から上側に凹んだ凹部の外周縁部、４はイノシシ亜目用誘引タブレットの外周縁部、５は雨水、６はイノシシ、７は檻を表している。
【００２２】
［イノシシ亜目用誘引剤］
発明者らは、鋭意研究の成果により、イノシシはチョウジの臭いをよく好み、イノシシに対する誘引効果は従来の誘引剤と比べて極めて高いことを見出した。本明細書において、チョウジとは、別名クローブともいい、フトモモ科のＳｙｚｙｇｉｕｍ  ａｒｏｍａｔｉｃｕｍのことをいう。
【００２３】
本発明のイノシシ亜目用誘引剤の有効成分であるチョウジは、チョウジの全草、葉、蕾、樹皮、枝、果実、根等をそのまま用いたり、または粉砕して用いることができるが、蕾を使用することが好ましい。
【００２４】
また、発明者らは、チョウジを抽出した抽出物にもイノシシの誘引効果が極めて高いことを見出した。チョウジの抽出物は、チョウジを常温または加温下にて抽出するかまたはソックスレー抽出器等の抽出器具を用いて抽出することにより得られる。
【００２５】
チョウジの抽出物を得るために用いられる抽出溶媒としては、極性溶剤、非極性溶剤のいずれをも使用することができ、例えば、水、メタノール、エタノール、プロパノール、ブタノール等のアルコール類、プロピレングリコール、ブチレングリコール等の多価アルコール類、アセトン、メチルエチルケトン等のケトン類、酢酸メチル、酢酸エチル等のエステル類、テトラヒドロフラン、ジエチルエーテル等の鎖状及び環状エーテル類、ポリエチレングリコール等のポリエーテル類、スクワラン、ヘキサン、シクロヘキサン、石油エーテル等の炭化水素類、トルエン等の芳香族炭化水素類、ジクロロメタン、クロロホルム、ジクロロエタン等のハロゲン化炭化水素類、二酸化炭素等が挙げられ、これらは混合溶媒として用いることもできる。
【００２６】
チョウジの抽出物は、そのまま用いることもできるが、当該抽出物を希釈、濃縮若しくは凍結乾燥した後、粉末またはペースト状に調製して用いることもできる。
【００２７】
また、チョウジの抽出物は、クロマトグラフィー等の分離技術により、チョウジの抽出物から不活性な夾雑物を除去して用いることもできる。
【００２８】
［イノシシ亜目用誘引タブレット］
本発明のイノシシ亜目用誘引剤は、チョウジまたはその抽出物をそのままの形状で使用することもできるが、イノシシ亜目用誘引タブレットに加工することで、イノシシを捕獲するためのメンテナンスに時間と手間がかからなくなる。また、詳細は後述するが、イノシシ亜目用誘引タブレットは、水分等と接触することで徐々に崩壊することでイノシシ亜目用誘引タブレットの有効成分であるイノシシ亜目用誘引剤が徐放されるので、イノシシの誘引効果をより向上させることができる。
【００２９】
本発明のイノシシ亜目用誘引タブレットは、図１から図３に示すように、イノシシ亜目用誘引タブレット１と同心円であり、イノシシ亜目用誘引タブレット１の上面から下側に凹んだ凹部２Ａと、凹部２Ａと対向する面に位置し、イノシシ亜目用誘引タブレット１と同心円であり、イノシシ亜目用誘引タブレット１の下面から上側に凹んだ凹部２Ｂとを設けた構成である。
【００３０】
凹部２Ｂは、詳細は後述するが、地面にイノシシ亜目用誘引タブレット１を配置する場合、地面から放出する水蒸気や露等で徐々にイノシシ亜目用誘引タブレット１を崩壊させるために設けられている。凹部２Ｂの大きさ、深さは、イノシシ亜目用誘引タブレット１の使用箇所、使用目的等に応じて適宜変更することができるが、イノシシ亜目用誘引タブレット１を使用する便宜上、凹部２Ａと同一形状であることが好ましい。凹部２Ａと凹部２Ｂとを同一形状とすることで、イノシシ亜目用誘引タブレット１を反転させても凹部２Ｂを凹部２Ａの代わりに使用することができるとともに、凹部２Ａを凹部２Ｂの代わりに使用することができる。
【００３１】
本発明のイノシシ亜目用誘引タブレット１には、凹部２Ａ及び凹部２Ｂの外周縁部３からイノシシ亜目用誘引タブレット１の外周縁部４に向かって傾斜する傾斜面が形成されている。傾斜面を設けることで、凹部２Ａからあふれた雨水及びイノシシ亜目用誘引タブレット１上に降った雨等の水分を効率的にイノシシ亜目用誘引タブレット１の外周縁部４へ流すことができるので、イノシシ亜目用誘引タブレット１を効果的に崩壊させることができる。
【００３２】
本発明のイノシシ亜目用誘引タブレット１は、イノシシ亜目用誘引剤をいったん粉末にしてそのままタブレット状に打錠（加圧成型）することで得ることができ、あるいは、顆粒に造粒したのち打錠することで得ることもできる。顆粒状の造粒物は、イノシシ亜目用誘引剤に水を加えて混合し、押し出し成型器等を用いて造粒し、得られた造粒物を乾燥することにより得ることができる。
【００３３】
本発明のイノシシ亜目用誘引タブレット１は雨水等の水分で徐々に崩壊させるために、水溶性のバインダーを使用することが好ましい。水溶性のバインダーとしては、例えば、ポリエチレングリコール、ポリプロピレングリコール、カルボキシメチルセルロース、ポリビニルアルコール、ポリビニルピロリドン、水溶性セルロース誘導体、カルボン酸系ポリマー、カルボン酸系、スルホン酸系、硫酸エステル系、リン酸エステル系の陰イオン界面活性剤、両性界面活性剤、澱粉、澱粉加水分解物、糖類、ケイ酸ソーダ、デキストリン等が挙げられる。
【００３４】
イノシシ亜目用誘引剤の粉末または顆粒状の造粒物をタブレット状に打錠する方法に特に制限はないが、通常に行われる打錠成型の設備及び技術をそのまま利用することができる。打錠の打錠圧力に特に制限はないが、打錠圧力が３ｋＮから４ｋＮとなるように圧力を加えることが好ましい。
【００３５】
本発明のイノシシ亜目用誘引タブレット１中に含有するイノシシ亜目用誘引剤の含有量は０．２５ｇ／ｃｍ３以上となるようにすることが好ましい。イノシシ亜目用誘引剤の含有量が０．２５ｇ／ｃｍ３未満であると、効果的にイノシシを誘引させることができない。
【００３６】
本発明のイノシシ亜目用誘引タブレット１には、イノシシ亜目用誘引剤の効果を妨げない程度に防腐剤、殺菌剤、芳香剤等を含有させてもよい。また、視認性を向上させるためにイノシシ亜目用誘引タブレット１に色素を含有させてもよい。
【００３７】
本発明のイノシシ亜目用誘引タブレット１は、雨水等の水分に接触すると徐々に崩壊する。地面に配置したイノシシ亜目用誘引タブレット１上に雨が降ると（図４（Ａ））、凹部２Ａ上に雨水５が溜まる（図４（Ｂ））。また、凹部２Ａからあふれた雨水５及びイノシシ亜目用誘引タブレット１上に降った雨は傾斜面に沿ってイノシシ亜目用誘引タブレット１の外周縁部４へ流れる。
【００３８】
凹部２Ａに溜まった雨水５により、凹部２Ａの底部が徐々に崩壊していくとともにイノシシ亜目用誘引タブレット１の有効成分であるイノシシ亜目用誘引剤がより徐放される。また、地面に雨が染込むことにより、地面から水蒸気が放出され、凹部２Ｂの頭頂部が徐々に崩壊し、イノシシ亜目用誘引タブレット１の有効成分であるイノシシ亜目用誘引剤が徐放される（図４（Ｃ））。イノシシ亜目用誘引剤がより徐放されるので、イノシシをより誘引しやすくなる。
【００３９】
凹部２Ａの底部の崩壊と凹部２Ｂの頭頂部の崩壊が進行すると、イノシシ亜目用誘引タブレット１の中央部付近に穴が開き、さらに崩壊が進行すると二つに分割される（図４（Ｄ））。分割されたイノシシ亜目用誘引タブレット１は、その後も雨水６、水蒸気及び露等によって徐々に崩壊し、やがて完全に崩壊する。
【００４０】
イノシシ亜目用誘引タブレット１が崩壊することでイノシシ亜目用誘引剤が地面に染込むので、イノシシ亜目用誘引タブレット１がなくてもイノシシをある程度は誘引することができる。また、イノシシ亜目用誘引タブレット１は無害のチョウジが主成分として含まれているので、崩壊しても自然界を汚染する問題を防止することができる。
【００４１】
［イノシシ亜目用誘引タブレットの使用方法］
以下、本発明のイノシシ亜目用誘引タブレットの使用方法を説明する。例えば、図５に示すように、イノシシ６を捕獲するための檻７の中にイノシシ亜目用誘引タブレット１を配置する（図５（Ａ））。イノシシ亜目用誘引タブレット１は、複数個配置してもよく、使用目的等に応じて適宜変更することができる。
【００４２】
イノシシ亜目用誘引タブレット１の臭いに引きつられたイノシシ６は、イノシシ亜目用誘引タブレット１を配置した檻７に近づき（図５（Ｂ））、イノシシ６は、イノシシ亜目用誘引タブレット１が配置されている檻７の中に入る（図５（Ｃ））。イノシシ６が檻７の中に入ると同時に檻７の柵が下りてイノシシ６を捕獲する（図５（Ｄ））。
【００４３】
なお、図５に示した本発明のイノシシ亜目用誘引タブレット１の使用方法はこれに限定されず、例えば、イノシシ６をある場所に誘引したい場合、イノシシ亜目用誘引タブレット１を一定間隔ごとに配置することで、イノシシ６をある場所まで誘引することができる。また、イノシシ６を誘引したい場所にイノシシ亜目用誘引タブレット１を複数配置することでイノシシ６を誘引したい場所に誘引し、誘引されたイノシシ６全てを一斉に捕獲するようにしてもよい。
【００４４】
以上、本発明の実施形態について図面を参照にしながら詳細に説明したが、本発明は、以上の実施形態に何ら限定されるものではなく、本発明の目的の範囲内において、適宜変更を加えて実施することができる。
【００４５】
イノシシ亜目用誘引タブレット１、凹部２Ａ及び凹部２Ｂは円形状であることを前提に説明したがこれに限定されず、例えば、四角形等であってもよい。
【００４６】
また、イノシシ亜目用誘引タブレット１の代わりにイノシシ亜目用誘引剤を粒剤にしたものを用いてもよい。
【００４７】
例えば、イノシシ６をある場所に誘引したい場合、イノシシ亜目用誘引タブレット１または粒剤を一定間隔ごとに配置、撒くことで、イノシシ６をある場所まで誘引することができる。また、イノシシ６を誘引したい場所に粒剤をばら撒くことでイノシシ６を誘引したい場所に誘引し、誘引されたイノシシ６全てを一斉に捕獲するようにすることもできる。
【実施例】
【００４８】
以下、実施例により本発明をさらに詳細に説明するが、本発明はこれらに限定されるものではない。
【００４９】
［イノシシ亜目用誘引剤］
（実施例１）
茶葉袋にチョウジの蕾を入れた状態で、予め捕獲した３匹のイノシシに近づけてイノシシの反応を試験した。また、チョウジを食べようとするか否かも併せて試験した。
【００５０】
（比較例１）
チョウジの代わりにイノシシの好物であるサツマイモにした以外は実施例１と同様に試験した。
【００５１】
（比較例２）
チョウジの代わりにイノシシの好物であるミミズにした以外は実施例１と同様に試験した。
【００５２】
積極的にハナで臭いを嗅ごうとしており、臭いをかいだ瞬間茶葉袋ごと食べたイノシシの反応を「反応１」、何度かハナで臭いを嗅いでから食べたが茶葉袋ごと食べることはなかったイノシシの反応を「反応２」とし、３匹のイノシシが反応１から反応２のいずれかを示すか試験した。全てのイノシシが反応１を示した場合は「○」、全てのイノシシが反応２を示した場合は「△」とした。結果を表１に示す。
【００５３】
【表１】
2010220564.tif 000003
【００５４】
表１より、実施例１において、全てのイノシシは、一度ハナで臭いをかいだ瞬間に茶葉袋ごと食べようとするほどチョウジに顕著な反応を示した。イノシシは、餌を食べる前に必ずハナで臭いをかぐ習性を持つことから、イノシシにとってチョウジの臭いは非常に好ましいものであると考えられる。一方、比較例１及び比較例２では、全てのイノシシは、何度かハナでサツマイモ及びミミズの臭いを確認してから食べたが、実施例１のように茶葉袋ごと食べることはなかった。このように、チョウジはイノシシにとって好ましい臭いであり、チョウジはイノシシの誘引効果が極めて高いことがわかる。
【００５５】
［イノシシ亜目用誘引タブレット］
（実施例２）
イノシシ亜目用誘引剤であるチョウジの蕾を粉末にしたチョウジ粉末２１０ｇをデキストリン（パインデックス社製）９０ｇと混合し、２分間攪拌して十分に混合させた後、水１５０ｇを加えてさらに２分間攪拌した。チョウジ粉末、デキストリン及び水からなる混合物を４０℃で１００分間乾燥させ、直径４５ｍｍ、厚さ９ｍｍに形状を整えた後、押し出し成形器（株式会社富士薬品機械社製ＦＹ−ＴＰ−１０Ｎ）を用いて打錠圧力３．５ｋＮで打錠したことにより、直径４５ｍｍ、厚さ９ｍｍのイノシシ亜目用誘引タブレット１を得た。なお、凹部２Ａと凹部２Ｂの深さは２．４ｍｍであり、凹部２Ａと凹部２Ｂの直径は２２ｍｍであった。
【００５６】
（実施例３）
実施例２のイノシシ亜目用誘引タブレット１を１．３ｍ×１ｍ×２ｍの檻７の中に配置し、イノシシ６が誘引されるか試験した。
【００５７】
イノシシ亜目用誘引タブレット１が徐々に崩壊するとともにイノシシ亜目用誘引剤が徐放し、１日でイノシシ６を檻７まで誘引して捕獲することができた。
【００５８】
（比較例３）
イノシシ亜目用誘引タブレット１の代わりに従来の糠にした以外は実施例２と同様に試験した。３日後、糠は腐敗しており腐敗臭が発生していた。
【００５９】
この腐敗臭が発生している糠を実施例３と同一の檻７の中に配置したが、１月経ってもイノシシ６を捕獲することができなかった。
【００６０】
なお、この腐敗臭が発生している糠を新鮮な糠に交換して檻７の中に配置したところ、２日でイノシシ６を捕獲することができた。
【００６１】
比較例３より、従来法では糠の交換等メンテナンスと時間の手間がかかることがわかる。一方、本発明のイノシシ亜目用誘引タブレット１は放置しても腐敗することなく、メンテナンスと時間の手間を抑制できることがわかる。また、本発明のイノシシ亜目用誘引タブレット１は、イノシシ亜目用誘引剤を徐放しながら崩壊するので、従来の糠等に比べて効果的にイノシシを誘引できることがわかる。
【符号の説明】
【００６２】
１      イノシシ亜目用誘引タブレット
２Ａ    凹部
２Ｂ    凹部
３      上面から下側に凹んだ凹部または下面から上側に凹んだ凹部の外周縁部
４      イノシシ亜目用誘引タブレットの外周縁部
５      雨水
６      イノシシ
７      檻
【図１】
2010220564.tif 000004
【図２】
2010220564.tif 000005
【図３】
2010220564.tif 000006
【図４】
2010220564.tif 000007
【図５】
2010220564.tif 000008